(57)【特許請求の範囲】
【請求項１】
前面に扉によって開閉される開口部を有する格納箱と、この格納箱に格納される消防ホース巻取用のリールを支持したリールホルダと、前記格納箱内の上部に位置し、かつ前記リールホルダの重心より手前側に設けられ、前記リールホルダの下部側を手前側に傾倒可能に回動自在に枢支する枢支部材と、前記リールホルダの下部に略水平面内で旋回自在に設けられ、前記リールホルダが手前側に傾倒したとき前記格納箱の開口部より前方に突出するガイドローラを備えた消防ホース案内部材とを具備したことを特徴とする消火栓。
【発明の詳細な説明】
【０００１】
【発明の属する技術分野】
この発明は、工場、事務所等の壁面に設置される消火栓に関する。
【０００２】
【従来の技術】
工場、事務所等においては、消火栓の設置が義務付けられており、ビルの壁面等に消火栓が設置されている。この消火栓は、格納箱の内部に消防ホース（保形ホース２０ｍ）を巻回したリール、開閉弁、ノズルまたは開閉弁付きノズルが格納されている。
【０００３】
そして、火災発生時に格納箱の扉を開けてリールから消防ホースを引き出し、開閉弁を開弁することにより、これと連動する加圧送水装置が作動して消防ホースに加圧送水され、ノズルから水が噴出して消火活動ができるようになっている。
【０００４】
従来、消火栓には種々のタイプのものがあるが、一例を挙げて説明すると、図４および図５に示すように構成されている。１は格納箱であり、前面には開口部２が設けられ、この開口部２は扉３によって開閉される。格納箱１の内部における一側部にはアーム受け金具４が設けられ、このアーム受け金具４には支持アーム５の一端部が水平面内で回動自在に枢支されている。
【０００５】
支持アーム５の他端部にはリール６が支持されており、このリール６には消防ホース７が巻回されている。消防ホース７の先端部には開閉コック付きのノズル８が設けられ、不使用時には格納箱１の内部に設けられたノズルキャッチ９に支持されている。
【０００６】
そして、消防ホース７の使用時には扉３を開放し、ノズル８をノズルキャッチ９から取り外して手前側に引くと、支持アーム５がアーム受け金具４を支点として手前側に回動し、リール６が略９０゜回動して開口部２から突出するようになっている。したがって、リール６が消防ホース７の引き出し方向に方向変換するため、消防ホース７を軽い力量で引き出すことができる。
【０００７】
図６は別のタイプの消火栓であり、格納箱１０の前面には開口部１１が設けられ、この開口部１１には扉１２が設けられている。格納箱１０の内部における下部にはガススプリング１３の一端部が上下方向に回動自在に枢支されており、このガススプリング１３によって支持枠１４が上下方向に回動自在に枢支されている。
【０００８】
支持枠１４の側面にはリール１５が支持されており、このリール１５には消防ホース１６が巻回されている。消防ホース１６の先端部にはノズル１７が設けられている。
【０００９】
そして、消防ホース１６の使用時には扉１２を開放すると、ガススプリング１３に支持された支持枠１４がリール１５とともに手前側に９０゜回動偏倚して格納箱１０から突出して略水平状態に支持される。したがって、リール１５が消防ホース１６の引き出し方向に方向変換するため、消防ホース１６を軽い力量で引き出すことができる。
【００１０】
【発明が解決しようとする課題】
しかしながら、前記従来の消火栓は、いずれも使用時に格納箱の手前側にリールおよび消防ホースが大きく突出するようになっており、消防ホースの引き出しはしやすいが、格納箱の手前側に突出するリールが通路を塞ぎ、避難の邪魔になるという問題がある。また、後者のものは、ガススプリングを用いて支持枠を支持する構造であり、構造的に複雑で、コストアップの原因となっている。
【００１１】
この発明は、前記事情に着目してなされたもので、その目的とするところは、使用時に消防ホースの引き出しが軽い力量で行えるとともに、リールが避難の邪魔になることはなく、また構造的に簡単な消火栓を提供することにある。
【００１２】
【課題を解決するための手段】
この発明は、前述した目的を達成するために、請求項１は、前面に扉によって開閉される開口部を有する格納箱と、この格納箱に格納される消防ホース巻取用のリールを支持したリールホルダと、前記格納箱内の上部に位置し、かつ前記リールホルダの重心より手前側に設けられ、前記リールホルダの下部側を手前側に傾倒可能に回動自在に枢支する枢支部材と、前記リールホルダの下部に略水平面内で旋回自在に設けられ、前記リールホルダが手前側に傾倒したとき前記格納箱の開口部より前方に突出するガイドローラを備えた消防ホース案内部材とを具備したことを特徴とする。
【００１５】
【発明の実施の形態】
以下、この発明の実施の形態を図面に基づいて説明する。
図１および図２は第１の実施形態を示し、図１は消火栓の縦断側面図、図２は扉を開放したときの消火栓の正面図である。
【００１６】
図中２１は金属板によって構成された格納箱であり、矩形箱状で、奥行きが小さく偏平状に構成されている。この格納箱２１は壁等に埋設または壁面に据え付けられるようになっており、前面には扉２２によって開閉される開口部２３が設けられている。格納箱２１の内部における下面奥部には左右一対の枢支部材２４が設けられ、これら枢支部材２４にはリールホルダ２５の下端部が前傾可能に枢支されている。
【００１７】
リールホルダ２５は格納箱２１の内部に収納される矩形枠状に構成され、この中央部には前方に突出する支軸２６が突設されている。そして、この支軸２６には例えば保形ホースからなる消防ホース２７を巻回したリール２８が回転自在に軸支されている。
【００１８】
したがって、リールホルダ２５を枢支する枢支部材２４は、リール２８を含むリールホルダ２５の重心より奥側に設けられ、前記リールホルダ２８は自重によって上部側が開口部２３方向に前傾可能になっている。さらに、格納箱２１の内部における両側壁にはリールホルダ２８の両側枠と当接して前傾時の回動量を規制するストッパ２９が取付けねじ３０によって固定されている。
【００１９】
また、リールホルダ２５の上部における一側部には上方へ突出する突出片３１が設けられ、この突出片３１の先端部には前方に突出する取付け片３２が一体に設けられている。取付け片３２の前端部にはピン孔３２ａが穿設され、このピン孔３２ａには枢支ピン３３を介して消防ホース案内部材３４を構成するブラケット３５の一端部が略水平面内で略１８０゜回動自在に設けられている。さらに、枢支ピン３３はピン孔３２ａに対して自由度を持っており、ブラケット３５は取付け片３２に対して揺動できるようになっている。
【００２０】
ブラケット３５は下向きコ字状で、消防ホース２７を挿通できる間隔を有する側板３５ａを有しており、このブラケット３５の自由端部で、前記リール２８の接線近傍における側板３５ａ間には消防ホース２７を案内する大径のガイドローラ３６と小径のガイドローラ３７が回転自在に軸支されている。そして、このガイドローラ３６と３７との間を消防ホース２７が挿通するようになっている。
【００２１】
消防ホース２７の先端部には開閉弁付きのノズル３８が設けられ、このノズル３８はリールホルダ２５に設けられたノズルキャッチ３９に支持されている。
なお、図示していないが、加圧送水装置に配管された元バルブ、元バルブからリールホルダまでの保形ホース等を利用したフレキシブル配管、リールホルダとリール部のスイベルジョイント等を利用したより戻し器具、慣性によるリールの不必要な回転を防止するブレーキ装置等、従来の技術に基づく部品を具備している。なお、図２のガイドバー２５ａは、加圧時にホースが伸びてリールから飛び出すのを防止するガイドである。
【００２２】
次に、前述のように構成された消火栓の作用について説明する。
図１（ｂ）に示すように、格納箱２１の扉２２が閉じられた状態、つまり不使用時には扉２２の内側面とリールホルダ２５の取付け片３２が当接し、リールホルダ２５の上部は扉２２によって格納箱２１の後方へ押し付けられている。したがって、リールホルダ２５は枢支部材２４に支持された状態で略垂直状態に立位されている。また、図２（ａ）に示すように、ブラケット３５は枢支ピン３３を支点として図中左側に回動しており、ノズル３８はノズルキャッチ３９に支持されている。
【００２３】
扉２２を開放すると、リールホルダ２５は扉２２による拘束力が解除され、しかもリール２８を含むリールホルダ２５の重心よりも後方に枢支部材２４があるため、リールホルダ２５は枢支部材２４を支点として前傾し、リールホルダ２５がストッパ２９に当接したところで停止する。したがって、図１（ａ）に示すようにリール２８を含むリールホルダ２５は上部側の一部が格納箱２１の開口部２３から前方に突出し、ブラケット３５に設けられたガイドローラ３６，３７は開口部２３から完全に前方へ突出する。
【００２４】
そこで、ノズル３８を持ってノズルキャッチ３９から外し、ノズル３８を前方へ向けると、消防ホース２７の中途部を支承したガイドローラ３６を備えたブラケット３５は枢支ピン３３を支点として前方へ回動し、ガイドローラ３６は消防ホース２７の引き出し方向に方向変更する。したがって、消防ホース２７をそのまま前方に引き出すことにより、リール２８が回転して消防ホース２７がリール２８から繰り出される。
【００２５】
また、ノズル３８を持ってノズルキャッチ３９から外し、図２（ｂ）に示すように、ノズル３８を図中右側へ向けると、消防ホース２７の中途部を支承したガイドローラ３６を備えたブラケット３５は枢支ピン３３を支点として右側へ回動し、ガイドローラ３６は消防ホース２７の引き出し方向に方向変更する。したがって、消防ホース２７をそのまま右側に引き出すことにより、リール２８が回転して消防ホース２７がリール２８から繰り出される。
【００２６】
このように、格納箱２１の開口部２３から前方に突出したガイドローラ３６を含むブラケット３５は略水平面内で１８０゜回動自在であり、消防ホース２７の引き出し方向に方向変更するため、いずれの方向に引き出しても軽い力量で消防ホース２７を引き出すことができる。
【００２７】
また、リール２８を備えたリールホルダ２５は下端部が枢支部材２４によって回動自在に枢支し、前傾もリール２８を備えたリールホルダ２５の自重を利用しているために構造的に簡単でコストダウンを図ることができる。
【００２８】
図３は第２の実施形態を示し、第１の実施形態と同一構成部分は同一番号を付して説明を省略する。本実施形態は、格納箱２１の内部における上部前部（開口部２３の開口縁近傍に枢支部材４０が設けられ、この枢支部材４０にはリールホルダ２５の下端部が手前側に傾斜可能に枢支されている。
【００２９】
リールホルダ２５は第１の実施形態と同様に格納箱２１の内部に収納される矩形枠状に構成され、この中央部には前方に突出する支軸２６が突設されている。そして、この支軸２６には例えば保形ホースからなる消防ホース２７を巻回したリール２８が回転自在に軸支されている。
【００３０】
したがって、リールホルダ２５を枢支する枢支部材４０は、リール２８を含むリールホルダ２５の重心より前側に設けられ、前記リールホルダ２８は自重によって下部側が開口部２３方向に傾斜可能になっている。さらに、格納箱２１の内部における両側壁にはリールホルダ２８の両側枠と当接して前傾時の回動量を規制するストッパ２９が取付けねじ３０によって固定されている。
【００３１】
また、リールホルダ２５の下部における一側部には下方へ突出する突出片４１が設けられ、この突出片４１の下端部には前方に突出する取付け片４２が一体に設けられている。取付け片４２の前端部には枢支ピン３３を介して消防ホース案内部材３４を構成するブラケット３５が設けられている。
【００３２】
次に、前述のように構成された消火栓の作用について説明する。
図３（ａ）に示すように、格納箱２１の扉２２が閉じられた状態、つまり不使用時には扉２２の内側面とリールホルダ２５の取付け片３２が当接し、リールホルダ２５の上部は扉２２によって格納箱２１の後方へ押し付けられている。したがって、リールホルダ２５は枢支部材４０に支持された状態で略垂直状態に立位されている。
【００３３】
扉２２を開放すると、リールホルダ２５は扉２２による拘束力が解除され、しかもリール２８を含むリールホルダ２５の重心よりも前方に枢支部材４０があるため、リールホルダ２５は枢支部材４０を支点として後方へ傾斜し、リールホルダ２５がストッパ２９に当接したところで停止する。したがって、図３（ｂ）に示すようにリール２８を含むリールホルダ２５は下部側の一部が格納箱２１の開口部２３から前方に突出し、ブラケット３５に設けられたガイドローラ３６，３７は開口部２３から完全に前方へ突出する。したがって、消防ホース２７をそのまま引き出すことにより、リール２８が回転して消防ホース２７がリール２８から繰り出される。
【００３４】
【発明の効果】
以上説明したように、この発明によれば、扉を開放することにより、リールホルダの下部に設けられた消防ホース案内部材が格納箱の開口部から前方に突出するため、使用時に消防ホースの引き出しが軽い力量で行えるとともに、リールが避難の邪魔になることはなく、また構造的に簡単な消火栓を提供することができる。
【図面の簡単な説明】
【図１】この発明の第１の実施形態の消火栓を示す縦断側面図。
【図２】同実施形態の消火栓の正面図。
【図３】この発明の第２の実施形態の消火栓を示す縦断側面図。
【図４】従来の消火栓の斜視図。
【図５】同従来の消火栓の正面図。
【図６】従来の別のタイプの消火栓の斜視図。
【符号の説明】
２１…格納箱
２２…扉
２３…開口部
２４…枢支部材
２５…リールホルダ
２７…消防ホース
２８…リール
３４…消防ホース案内部材
３５…ガイドローラ
【図１】
0003709002.tif 000002
【図２】
0003709002.tif 000003
【図３】
0003709002.tif 000004
【図４】
0003709002.tif 000005
【図５】
0003709002.tif 000006
【図６】
0003709002.tif 000007